(57)【要約】      （修正有）【課題】検査画像にそれぞれ貼りつけるための豆図の作成に際して、検査員の作業負担が小さく信頼性の高い検査画像管理システムを提供する。【解決手段】サーバ装置１は、複数の検査箇所に関する各種情報をクライアント装置２に表示する検査箇所情報表示手段４と、撮影された検査箇所の画像に貼り付けるための豆図を作成する旨の指示を受け付る豆図作成指示受付手段３２と、配筋図から豆図を切り出すためのキャプチャ画面をクライアント装置２に表示するキャプチャ画面表示手段４２と、キャプチャ画面に表示された配筋図において豆図として切り出すべき領域を確定する旨の指示を受け付ける領域確定指示受付手段３３と、領域指定受付手段３が受け付けた指示に基づいて配筋図から豆図を切り出す豆図キャプチャ手段５１と、取り込まれた豆図を検査箇所ＣＰに対応付ける豆図対応付け手段５２と、対応付けされた豆図を記憶する豆図記憶手段６６を備える。【選択図】図２
2019174882.tif 000002
【特許請求の範囲】
【請求項１】
サーバ装置と複数のクライアント装置とを含んで構成され、前記クライアント装置が撮影した検査箇所の画像を管理する検査画像管理システムであって、
複数の検査箇所に関する各種情報を前記クライアント装置に表示する検査箇所情報表示手段と、
撮影された検査箇所の画像に貼り付けるための豆図を作成する旨の指示を受け付ける豆図作成指示受付手段と、
前記豆図作成指示受付手段が豆図を作成する旨の指示を受け付けると、所定の元図から豆図を切り出すためのキャプチャ画面を前記クライアント装置に表示するキャプチャ画面表示手段と、
前記キャプチャ画面に表示された前記元図において豆図として切り出すべき領域を確定する旨の指示を受け付ける領域確定指示受付手段と、
前記領域指定受付手段が受け付けた指示に基づいて前記元図から豆図を切り出す豆図キャプチャ手段と、
取り込まれた前記豆図を前記検査箇所に対応付ける豆図対応付け手段と、
対応付けされた前記豆図を記憶する豆図記憶手段と、
を備えることを特徴とする検査画像管理システム。
【請求項２】
前記クライアント装置が所定の検査箇所を撮影する時に、当該検査箇所に対応付けて記憶された豆図を含む撮影時画面を前記クライアント装置に表示する撮影時画面表示手段を更に備えることを特徴とする請求項１に記載の検査画像管理システム。
【請求項３】
前記検査箇所情報表示手段は、複数の検査箇所に関する各種情報を含んだ一覧表を前記クライアント装置に表示することを特徴とする請求項１又は２に記載の検査画像管理システム。
【請求項４】
前記豆図対応付け手段は、前記豆図作成指示受付手段が受け付けた一の検査箇所について前記豆図記憶手段が豆図を記憶すると、前記一覧表において前記一の検査箇所に連続する次の検査箇所について豆図を対応付け可能な状態へと遷移することを特徴とする請求項１から３の何れか一項に記載の検査画像管理システム。
【請求項５】
前記キャプチャ画面表示手段が、切り出そうとする領域を指定するためのキャプチャ枠を前記キャプチャ画面に表示することを特徴とする請求項４に記載の検査画像管理システム。
【請求項６】
前記一覧表の各種情報が検査箇所の位置情報を含み、前記キャプチャ画面表示手段が、前記位置情報に対応する前記元図上の位置に前記キャプチャ枠を表示することを特徴とする請求項１から５の何れか一項に記載の検査画像管理システム。
【請求項７】
前記キャプチャ画面表示手段が、前記元図のうち前記キャプチャ枠によって指定されている領域を、リアルタイム画像として前記キャプチャ画面に表示することを特徴とする請求項６に記載の検査画像管理システム。
【請求項８】
前記領域確定指示受付手段は、前記豆図作成指示受付手段が受け付けた一の検査箇所について前記豆図記憶手段が豆図を記憶すると、前記次の検査箇所の位置情報に対応する前記元図上の位置へ前記キャプチャ枠を移動させることを特徴とする請求項６又は７に記載の検査画像管理システム。
【請求項９】
前記元図は、前記検査箇所における鉄筋の配置状態を示した配筋図であることを特徴とする請求項１から８の何れか一項に記載の検査画像管理システム。
【請求項１０】
前記検査箇所情報表示手段、前記豆図作成指示受付手段、前記キャプチャ画面表示手段と、前記領域確定指示受付手段、前記豆図キャプチャ手段、前記豆図対応付け手段、及び前記豆図記憶手段のうち、少なくとも一つが前記サーバ装置に設けられていることを特徴とする請求項１から９の何れか一項に記載の検査画像管理システム。
【発明の詳細な説明】
【技術分野】
【０００１】
本発明は、サーバ装置と複数のクライアント装置とを含んで構成され、クライアント装置が撮影した検査箇所の画像を管理する検査画像管理システムに関する。
【背景技術】
【０００２】
建物の建設工事や修繕工事では、工事が設計図面通りに施工されているかどうかを確認するための検査が行われる。例えば、鉄筋コンクリートで造られる建物の躯体工事では、設計図面としての配筋図に示された通りに鉄筋の本数や配置等が施工されているかどうかを確認するための配筋検査が、複数の検査箇所において行われる（例えば、特許文献１を参照）。
【０００３】
このような検査では、検査員が各検査箇所を撮影することによって複数の検査画像が生じる。従って、これら検査画像を管理するための検査画像管理システムが従来提唱されている（例えば、特許文献２を参照）。この検査画像管理システムでは、複数の検査画像に加えて、検査画像それぞれに貼り付けるための豆図も管理される。この豆図は、検査員等により、設計図面の一部、例えば配筋検査の場合には配筋図の一部を切り出して作成されると共に、所定の検査箇所に対応付けられる。そして、所定の検査箇所の検査画像に対し、その検査箇所に対応付けられた豆図が貼り付けられる。検査員は、検査画像と豆図とを比較することにより、工事が設計図面通りに施工されているかどうかを確認する。
【先行技術文献】
【特許文献】
【０００４】
【特許文献１】特許第５４９１２４３号公報
【特許文献２】特許第５７４７８８６号公報
【発明の概要】
【発明が解決しようとする課題】
【０００５】
しかし、従来の検査画像管理システムでは、設計図面の一部を切り出して豆図を作成する作業、及び作成した豆図を所定の検査箇所に対応付ける作業を、検査員等が行っていた。従って、検査員等の作業負担が大きく、また作業時に人為的なミスが生じる可能性があるという問題があった。
【０００６】
そこで本発明は、かかる事情に鑑みて創案され、その目的は、豆図の作成に際して検査員等の作業負担が小さく且つ信頼性の高い検査画像管理システムを提供することにある。
【課題を解決するための手段】
【０００７】
本発明の一の態様によれば、
サーバ装置と複数のクライアント装置とを含んで構成され、前記クライアント装置が撮影した検査箇所の画像を管理する検査画像管理システムであって、
複数の検査箇所に関する各種情報を前記クライアント装置に表示する検査箇所情報表示手段と、
撮影された検査箇所の画像に貼り付けるための豆図を作成する旨の指示を受け付ける豆図作成指示受付手段と、
前記豆図作成指示受付手段が豆図を作成する旨の指示を受け付けると、所定の元図から豆図を切り出すためのキャプチャ画面を前記クライアント装置に表示するキャプチャ画面表示手段と、
前記キャプチャ画面に表示された前記元図において豆図として切り出すべき領域を確定する旨の指示を受け付ける領域確定指示受付手段と、
前記領域指定受付手段が受け付けた指示に基づいて前記元図から豆図を切り出す豆図キャプチャ手段と、
取り込まれた前記豆図を前記検査箇所に対応付ける豆図対応付け手段と、
対応付けされた前記豆図を記憶する豆図記憶手段と、
を備える検査画像管理システムが提供される。
【０００８】
なお、本発明の一の態様に係る検査画像管理システムは、
前記クライアント装置が所定の検査箇所を撮影する時に、当該検査箇所に対応付けて記憶された豆図を含む撮影時画面を前記クライアント装置に表示する撮影時画面表示手段を更に備えてもよい。
【０００９】
また、本発明の一の態様に係る検査画像管理システムにおいては、
前記検査箇所情報表示手段は、複数の検査箇所に関する各種情報を含んだ一覧表を前記クライアント装置に表示してもよい。
【００１０】
また、本発明の一の態様に係る検査画像管理システムにおいては、
前記豆図対応付け手段は、前記豆図作成指示受付手段が受け付けた一の検査箇所について前記豆図記憶手段が豆図を記憶すると、前記一覧表において前記一の検査箇所に連続する次の検査箇所について豆図を対応付け可能な状態へと遷移してもよい。
【００１１】
また、本発明の一の態様に係る検査画像管理システムにおいては、
前記キャプチャ画面表示手段が、切り出そうとする領域を指定するためのキャプチャ枠を前記キャプチャ画面に表示してもよい。
【００１２】
また、本発明の一の態様に係る検査画像管理システムにおいては、
前記一覧表の各種情報が検査箇所の位置情報を含み、前記キャプチャ画面表示手段が、前記位置情報に対応する前記元図上の位置に前記キャプチャ枠を表示してもよい。
【００１３】
また、本発明の一の態様に係る検査画像管理システムにおいては、
前記キャプチャ画面表示手段が、前記元図のうち前記キャプチャ枠によって指定されている領域を、リアルタイム画像として前記キャプチャ画面に表示してもよい。
【００１４】
また、本発明の一の態様に係る検査画像管理システムにおいては、
前記領域確定指示受付手段は、前記豆図作成指示受付手段が受け付けた一の検査箇所について前記豆図記憶手段が豆図を記憶すると、前記次の検査箇所の位置情報に対応する前記元図上の位置へ前記キャプチャ枠を移動させてもよい。
【００１５】
また、本発明の一の態様に係る検査画像管理システムにおいては、
前記元図は、前記検査箇所における鉄筋の配置状態を示した配筋図であってもよい。
【００１６】
また、本発明の一の態様に係る検査画像管理システムにおいては、
前記検査箇所情報表示手段、前記豆図作成指示受付手段、前記キャプチャ画面表示手段と、前記領域確定指示受付手段、前記豆図キャプチャ手段、前記豆図対応付け手段、及び前記豆図記憶手段のうち、少なくとも一つが前記サーバ装置に設けられてもよい。
【発明の効果】
【００１７】
本発明の一の態様に係る検査画像管理システムによれば、検査員等の作業負担が小さく且つ信頼性の高い豆図管理が可能となる。
【図面の簡単な説明】
【００１８】
【図１】本発明の実施形態に係る検査画像管理システムの概略構成を示す模式図である。
【図２】実施形態に係るサーバ装置の機能的な構成を示すブロック図である。
【図３】実施形態に係るグリッドを含んだ検査画像管理画面を示す概略図である。
【図４】実施形態に係るキャプチャ画面フォームを含んだキャプチャ画面を示す概略図である。
【図５】実施形態に係る配筋図を示す概略図である。
【図６】実施形態に係る撮影時画面フォームを含んだ撮影時画面を示す概略図である。
【図７】実施形態に係る工事黒板を示す概略図である。
【図８】実施形態に係る対応付けテーブルを示す模式図である。
【図９】実施形態に係るグリッド表示処理の流れを示すフローチャートである
【図１０】実施形態に係るキャプチャ画面表示処理の流れを示すフローチャートである。
【図１１】実施形態に係る豆図作成記憶処理の流れを示すフローチャートである。
【図１２】実施形態に係る撮影時豆図表示処理の流れを示すフローチャートである。
【発明を実施するための形態】
【００１９】
以下、本発明の実施の形態に係る検査画像管理システムについて、図面を参照しつつ説明する。本実施形態に係る検査画像管理システムは、建物の建設工事や修繕工事の配筋検査時に撮影される画像を管理するシステムである。
【００２０】
（検査画像管理システムの構成）
図１は、本発明の実施形態に係る検査画像管理システム１００の概略構成を示す模式図である。検査画像管理システム１００は、データセンタＤ等に設置されたサーバ装置１と、このサーバ装置１に対してインターネット等のネットワークＮを介して通信可能に接続された複数のクライアント装置２と、を備えている。クライアント装置２は、現場事務所等に設置されるパーソナルコンピュータ２Ａと、持ち運び可能なスマートフォン２Ｂとを含んでいる。なお、クライアント装置２としては、タブレット端末、ＰＤＡ（Ｐｅｒｓｏｎａｌ  Ｄｉｇｉｔａｌ  Ａｓｓｉｓｔａｎｔｓ）、携帯電話等、従来公知の情報端末を使用することができる。
【００２１】
サーバ装置１は、クライアント装置２に対して所定のサービスを提供する。図２は、サーバ装置１の機能的な構成を示すブロック図である。サーバ装置１は、クライアント装置２からの指示を受け付ける受付手段３と、指示に応じた各種情報をクライアント装置２に表示する表示手段４と、豆図に関する処理を行う豆図処理手段５と、各種情報を記憶する記憶手段６と、を含んで構成されている。
【００２２】
受付手段３は、図２に示すように、グリッド表示指示受付手段３１と、豆図作成指示受付手段３２と、領域確定指示受付手段３３と、撮影指示受付手段３４と、を有している。
【００２３】
表示手段４は、図２に示すように、グリッド表示手段４１（本発明に係る「検査箇所情報表示手段４」に相当）と、キャプチャ画面表示手段４２と、リアルタイム画像表示手段４３と、撮影時画面表示手段４４と、を有している。
【００２４】
豆図処理手段５は、図２に示すように、豆図キャプチャ手段５１と、豆図対応付け手段５２と、を有している。
【００２５】
記憶手段６は、図２に示すように、グリッド記憶手段６１と、キャプチャ画面フォーム記憶手段６２と、配筋図記憶手段６３と、キャプチャ枠記憶手段６４と、撮影時画面フォーム記憶手段６５と、豆図記憶手段６６と、対応付け情報記憶手段６７と、を有している。
【００２６】
（受付手段について）
グリッド表示指示受付手段３１は、グリッドを表示する旨の指示をクライアント装置２から受け付ける。ここで、本願明細書における「グリッド」とは、検査が行われる工種ごと（例えば、鉄筋工事や型枠工事や鉄骨工事）や対象物ごと（例えば、柱やスラブ）や検査箇所ごと（例えば、６階や５階）に各種情報を示した一覧表を意味している。グリッド表示指示受付手段３１は、図２に示すように、グリッド表示指示を受け付けると、グリッド表示手段４１に対し、クライアント装置２にグリッドを表示する旨の命令を発する。
【００２７】
豆図作成指示受付手段３２は、豆図を作成する旨の指示をクライアント装置２から受け付ける。ここで、本願明細書における「豆図」とは、検査時に撮影する画像と比較するために用いられる図面や写真等を意味している。本実施形態では、検査箇所における鉄筋の配置状態を図示する配筋図（本願発明に係る「元図」に相当）の一部を切り出すことにより、豆図が作成される。豆図作成指示受付手段３２は、図２に示すように、豆図作成指示を受け付けると、キャプチャ画面表示手段４２に対し、クライアント装置２にキャプチャ画面を表示する旨の命令を発する。
【００２８】
領域確定指示受付手段３３は、配筋図上で豆図の領域を確定する旨の指示をクライアント装置２から受け付ける。この領域確定指示受付手段３３は、図２に示すように、領域確定指示を受け付けると、豆図キャプチャ手段５１に対し、配筋図の一部を切り出して豆図を作成する旨の指示を発すると共に、豆図対応付け手段５２に対し、作成された豆図を所定の検査箇所に対応付ける旨の命令を発する。
【００２９】
撮影指示受付手段３４は、検査箇所を撮影する旨の指示をクライアント装置２から受け付ける。この撮影指示受付手段３４は、図２に示すように、撮影指示を受け付けると、具体的にはクライアント装置２を撮影モードに切り替える旨の指示を受け付けると、撮影時画面表示手段４４に対し、クライアント装置２に撮影時画面を表示する旨の命令を発する。
【００３０】
（表示手段について）
グリッド表示手段４１は、クライアント装置２にグリッドを表示する。このグリッド表示手段４１は、図２に示すように、クライアント装置２にグリッドを表示する旨の命令をグリッド表示指示受付手段３１から受けると、グリッド記憶手段６１にアクセスし、そこに記憶された所定のグリッドを読み出す。そして、グリッド表示手段４１は、読み出したグリッドをクライアント装置２へ送信する。
【００３１】
キャプチャ画面表示手段４２は、クライアント装置２にキャプチャ画面を表示する。このキャプチャ画面表示手段４２は、図２に示すように、クライアント装置２にキャプチャ画面を表示する旨の命令を豆図作成指示受付手段３２から受けると、キャプチャ画面フォーム記憶手段６２にアクセスし、そこに記憶された所定のキャプチャ画面フォームを読み出す。ここで、本願明細書における「キャプチャ画面フォーム」とは、キャプチャ画面を構成する所定の画面様式を意味している。
【００３２】
また、キャプチャ画面表示手段４２は、図２に示すように、配筋図記憶手段６３にアクセスし、そこに記憶された所定の配筋図を読み出す。そして、キャプチャ画面表示手段４２は、読み出した配筋図をキャプチャ画面の所定位置に配置する。更に、キャプチャ画面表示手段４２は、キャプチャ枠記憶手段６４にアクセスし、そこに記憶された所定のキャプチャ枠を読み出す。ここで、本願明細書における「キャプチャ枠」とは、配筋図上の一部の領域を指定可能な枠体を意味している。そして、キャプチャ画面表示手段４２は、読み出したキャプチャ枠を配筋図の所定位置に配置する。
【００３３】
また、キャプチャ画面表示手段４２は、図２に示すように、リアルタイム画像表示手段４３に対し、キャプチャ画面フォームの所定位置にリアルタイム画像を表示する旨の命令を発する。ここで、本願明細書における「リアルタイム画像」とは、ある時点においてキャプチャ枠によって指定されている配筋図の領域の画像を意味している。そして、キャプチャ画面表示手段４２は、キャプチャ画面フォームの上に配筋図とキャプチャ枠とリアルタイム画像を配置することによって作成したキャプチャ画面を、クライアント装置２へ送信する。
【００３４】
リアルタイム画像表示手段４３は、キャプチャ画面フォームの所定位置にリアルタイム画像を表示する。このリアルタイム画像表示手段４３は、図２に示すように、リアルタイム画像を表示する旨の命令をキャプチャ画面表示手段４２から受けると、その時点においてキャプチャ枠によって指定されている配筋図の領域の画像を取得する。そして、リアルタイム画像表示手段４３は、取得した画像を拡大し、拡大した画像をキャプチャ画面フォームの所定位置にリアルタイム画像として表示する。
【００３５】
なお、リアルタイム画像表示手段４３は本発明に必須の構成ではない。すなわち、キャプチャ画面には少なくとも配筋図とキャプチャ枠が表示されれば足りる。但し、キャプチャ画面にリアルタイム画像が表示されると、クライアント装置２のユーザである検査員等が、配筋図においてキャプチャ枠によって現在包囲されている領域を拡大された状態で視認することができるので、豆図として切り出すべき領域を指定する作業が容易になるという利点がある。
【００３６】
撮影時画面表示手段４４は、クライアント装置２に撮影時画面を表示する。この撮影時画面表示手段４４は、図２に示すように、クライアント装置２に撮影時画面を表示する旨の命令を撮影指示受付手段３４から受けると、撮影時画面フォーム記憶手段６５にアクセスし、そこに記憶された所定の撮影時画面フォームを読み出す。ここで、本願明細書における「撮影時画面フォーム」とは、撮影時画面を構成する所定の画面様式を意味している。
【００３７】
また、撮影時画面表示手段４４は、図２に示すように、対応付け情報記憶手段６７にアクセスし、そこに記憶された対応付け情報を読み出す。この対応付け情報は、後述するように、検査箇所と豆図との対応関係を示す情報である。撮影時画面表示手段４４は、豆図記憶手段６６にアクセスし、読み出した対応付け情報に基づいて、対象となる検査箇所に対応する豆図を読み出す。そして、撮影時画面表示手段４４は、読み出した豆図を撮影時画面フォームの上に配置することによって作成した撮影時画面を、クライアント装置２へ送信する。
【００３８】
（豆図処理手段について）
豆図キャプチャ手段５１は、配筋図から一部の領域を切り出すことによって豆図を作成する。この豆図キャプチャ手段５１は、図２に示すように、豆図を作成する旨の命令を領域確定指示受付手段３３から受けると、その時点においてキャプチャ枠によって指定されている配筋図の領域を切り出すことにより、画像ファイルとして豆図を作成する。そして、豆図キャプチャ手段５１は、豆図記憶手段６６にアクセスし、作成した豆図をそこに記憶する。
【００３９】
豆図対応付け手段５２は、豆図と検査箇所との対応付けを行う。この豆図対応付け手段５２は、図２に示すように、豆図の対応付けを行う旨の命令を領域確定指示受付手段３３から受けると、豆図作成指示受付手段３２が豆図作成指示を受け付けた複数の検査箇所と、豆図キャプチャ手段５１が作成した複数の豆図とを一対一で対応付けることにより、豆図対応付け情報を作成する。そして、豆図対応付け手段５２は、対応付け情報記憶手段６７にアクセスし、作成した豆図対応付け情報をそこに記憶する。
【００４０】
（記憶手段について）
グリッド記憶手段６１は、複数の検査箇所に関する検査箇所ごとの各種情報を一覧表として示すグリッドを記憶する。図３は、実施形態に係るグリッド７を含んだ検査画像管理画面８を示す概略図である。検査画像管理画面８は、画面向かって左側に設けられた検査箇所絞り込みパネル９と、画面向かって中央部から右側に亘って設けられたグリッド７と、グリッド７の左上方に設けられた工事黒板切り替えボタン１０と、グリッド７の右上方に設けられた豆図作成ボタン１１と、を備えている。
【００４１】
検査箇所絞り込みパネル９は、グリッド７に表示させようとする検査箇所を、工種や進捗状況や階数や通り芯等の情報に基づいて絞り込むために用いられる。
【００４２】
グリッド７は、複数の行および列からなる一覧表形式を有する。このグリッド７には、その列方向に異なる検査箇所が配列されると共に、その行方向に一の検査箇所に関する各種情報が配列される。そして、このグリッド７は、通り芯表示欄７１と、検査画像表示欄７２と、豆図有無表示欄７３と、情報編集欄７４と、を有している。
【００４３】
通り芯表示欄７１には、その検査箇所の位置を特定するための通り芯、すなわち柱や壁等の中心線を表す数字やアルファベット等が表示される。検査画像表示欄７２には、その検査箇所で検査員等によって撮影された検査画像Ｐがサムネイル表示される。豆図有無表示欄７３には、その検査箇所について豆図が記憶されているか否かが表示される。具体的には、豆図が記憶されている検査箇所の豆図有無表示欄７３には「有」の文字が表示され、豆図が記憶されていない検査箇所の豆図有無表示欄７３は空欄となっている。そして、この「有」の文字は、その検査箇所について記憶された検査画像Ｐにリンク付けされている。従って、検査員等は、「有」の文字をクリックすることにより、その検査箇所の検査画像Ｐを閲覧することができる。情報編集欄７４には、その検査箇所に関する情報を編集するための情報編集アイコンＨＡが配置されている。そして、この情報編集アイコンＨＡは、不図示の情報編集画面にリンク付けされている。従って、検査員等は、情報編集アイコンＨＡをクリックして情報編集画面を呼び出すことにより、その検査箇所の各種情報を編集することができる。
【００４４】
工事黒板切り替えボタン１０は、豆図を含んだいわゆる工事黒板の種類を切り替えるために用いられる。より詳細には、法制上の制約等により、検査箇所の撮影時には、検査箇所に関する各種情報や検査結果に関する各種情報が検査画像Ｐに付加される必要がある。そこで、必要な情報が表示された工事黒板の画像が、検査画像Ｐの一部領域に貼り付けられる。そして、検査画像Ｐに付加すべき情報の種類や数は検査の種類に応じて異なるため、表示する情報の種類や数が異なる複数種類の工事黒板が予め用意されている。クライアント装置２のユーザである検査員等は、この工事黒板切り替えボタン１０を押下して、不図示の工事黒板選択画面を呼び出すことにより、所望の工事黒板を選択することができる。なお、図３に示すように、選択された工事黒板Ｂは、工事黒板切り替えボタン１０に隣接した位置にサムネイル表示される。これにより、現在どの工事黒板Ｂが選択された状態であるかを、検査員が目視で容易に確認することができる。
【００４５】
豆図作成ボタン１１は、所定の検査箇所について豆図の作成を指示するために用いられる。検査員等は、豆図有無表示欄７３が空欄になっている検査箇所、すなわち豆図がまだ記憶されていない検査箇所について豆図を作成及び記憶したい場合、まずその検査箇所の豆図有無表示欄７３をクリックし、カーソルＣをその豆図有無表示欄７３へ移動させる。その状態において、検査員等が豆図作成ボタン１１を押下すると、豆図を作成するためのキャプチャ画面に切り替わる、或いはキャプチャ画面がポップアップする。
【００４６】
図２に示すキャプチャ画面フォーム記憶手段６２は、キャプチャ画面を構成する画面様式としてのキャプチャ画面フォームを記憶する。図４は、実施形態に係るキャプチャ画面フォーム１２を含んだキャプチャ画面１３を示す概略図である。キャプチャ画面フォーム１２は、画面向かって左側に設けられた元図表示エリア１４と、この元図表示エリア１４の上方に設けられた検査箇所情報表示エリア１５と、画面向かって右側上部に設けられたリアルタイム画像表示エリア１６と、このリアルタイム画像表示エリア１６の内部に配置されたキャプチャ確定ボタン１７と、画面向かって右側下部に設けられた豆図表示エリア１８と、を備えている。
【００４７】
元図表示エリア１４には、豆図を作成する際の元となる元図、本実施形態では配筋図１９が表示される。更に、元図表示エリア１４には、キャプチャ枠２０も表示される。また、検査箇所情報表示エリア１５には、図３に示すグリッド７の一部、具体的には検査画像表示欄７２と豆図有無表示欄７３と情報編集欄７４とを除いた部分が表示されている。これにより、検査員等は、どこの検査箇所について豆図を作成しようとしているかを、目視により常時確認することができる。なお、検査箇所情報表示エリア１５に表示される検査箇所に関する情報の内容は、本実施形態に限定されず任意に変更が可能である。
【００４８】
リアルタイム画像表示エリア１６には、キャプチャ枠２０によって指定されている配筋図１９の一部領域が、リアルタイム画像３０として表示される。また、キャプチャ確定ボタン１７は、配筋図１９において豆図として切り出すべき領域を確定させるために用いられる。すなわち、検査員等がこのキャプチャ確定ボタン１７を押下すると、その時点においてキャプチャ枠２０によって指定されている配筋図１９の領域が、豆図として切り出される。また、豆図表示エリア１８には、配筋図１９から切り出された豆図２１が順次表示される。
【００４９】
図２に示す配筋図記憶手段６３は、元図としての配筋図１９を記憶する。図５は、実施形態に係る配筋図１９を示す概略図である。配筋図１９は、所定の検査箇所に設けられた柱や梁等について、その内部に配置される鉄筋の設計上の配置状態、すなわち設計上の鉄筋の本数や配置位置を示す図である。本実施形態の配筋図１９は、複数の行および列からなる一覧表形式を有し、建物の各階における複数の位置について、配置される梁の配筋状態を示している。特に、配筋図１９に設けられた複数の断面図表示欄２２には、その位置に配置される梁Ｈの断面図がそれぞれ表示されている。なお、本実施形態の配筋図１９には、梁Ｈの断面図以外に、上端筋や下端筋や腹筋や巾止め筋やスターラップといった各種鉄筋の仕様が表示されている。なお、本実施形態では、本発明に係る元図として配筋図１９を用いたが、元図は配筋図１９に限られない。元図としては、検査の種類に応じて、検査画像Ｐと比較し得る他の設計図面や写真等を用いることが可能である。
【００５０】
図２に示すキャプチャ枠記憶手段６４は、配筋図１９の一部領域を指定するために用いるキャプチャ枠２０を記憶する。このキャプチャ枠２０は、図４に示すように、略矩形の外形を有する中空の枠体であって、検査員等の操作に応じて、任意に拡大または縮小可能であり、また任意の位置へ移動可能である。そして、このキャプチャ枠２０によって包囲された配筋図１９の一部領域が、リアルタイム画像として取得され、または豆図２１として切り出される。本実施形態では、図５に示すように、６階の通り芯Ａ−１の位置に設けられた梁Ｈの断面図を包囲するようにして、キャプチャ枠２０が配筋図１９の上に配置されている。なお、キャプチャ枠２０の形状は、配筋図１９の領域を指定可能な範囲で任意に設計変更が可能である。なお、本願明細書における「通り芯」とは、設計図面上において柱や壁等の中心を結んで作成される線を意味している。
【００５１】
図２に示す撮影時画面フォーム記憶手段６５は、撮影時画面フォームを記憶する。図６は、実施形態に係る撮影時画面フォーム２３を含んだ撮影時画面２４を示す概略図である。撮影時画面フォーム２３は、画面中央部に設けられた映像表示エリア２５と、画面右端中央部に配置されたシャッターボタン２６と、画面左下隅部に設けられたキャンセルボタン２７と、映像表示エリア２５の内部における左上隅部に設けられた工事黒板表示エリア２８と、画面右下隅部に設けられた工事黒板切り替えボタン２９と、を備えている。なお、工事黒板表示エリア２８や各種ボタンの配置位置は、本実施形態に限られず適宜設計変更が可能である。
【００５２】
映像表示エリア２５には、図に詳細は示さないが、クライアント装置２で撮影中の検査画像が表示される。シャッターボタン２６は、検査員等が撮影を実行する旨の指示を発するために使用する。キャンセルボタン２７は、検査員等が撮影時画面２４を閉じて撮影を終了する旨の指示を発するために使用する。工事黒板切り替えボタン２９は、検査員等が工事黒板表示エリア２８に表示される工事黒板Ｂを切り替える旨の指示を発するために使用する。
【００５３】
また、工事黒板表示エリア２８には、検査員等が選択した工事黒板Ｂの画像が表示される。図７は、本実施形態に係る工事黒板Ｂを示す概略図である。工事黒板Ｂには、検査箇所に関する各種情報や検査結果に関する各種情報を入力及び表示可能な欄が複数設けられているが、その一つとして、豆図２１を表示するための豆図表示欄Ｂ１が設けられている。なお、豆図２１の表示位置は、工事黒板Ｂの豆図表示欄Ｂ１に限られず、撮影時画面フォーム２３における任意の位置とすることができる。また、本実施形態では、豆図２１以外に、工事名、工種、撮影月日、検査箇所、設計寸法、実測寸法、立ち会い者といった情報が工事黒板Ｂに表示されているが、工事黒板Ｂの種類に応じて工事黒板Ｂに表示される情報の数や組み合わせは、種々異なっている。
【００５４】
図２に示す豆図記憶手段６６は、配筋図１９の一部を切り出して作成された豆図２１を記憶する。図７に示す豆図２１は、図５に示す配筋図１９における６階の通り芯Ａ−１の断面図表示欄２２から切り出して作成されたものである。この豆図２１には、上端筋７０や下端筋７１や腹筋７２や巾止め筋７３やスターラップ７４といった各種鉄筋について、梁Ｈの内部における配置位置や本数等の設計情報が示されている。なお、豆図２１は本実施形態に限定されず、任意の元図の任意の位置から切り出して作成することが可能である。
【００５５】
図２に示す対応付け情報記憶手段６７は、豆図２１と検査箇所との対応関係を示す対応付け情報を記憶する。本実施形態に係る対応付け情報記憶手段６７は、対応付け情報に基づいて作成する対応付けテーブルを記憶する。図８は、本実施形態に係る対応付けテーブルＴを示す模式図である。対応付けテーブルＴにおいては、複数の検査箇所ＣＰと複数の豆図２１とが一対一で対応している。なお、検査箇所ＣＰは、建物の階数と通り芯によって表されている。
【００５６】
（グリッド表示処理）
次に、実施形態に係る検査画像管理システム１００がクライアント装置２にグリッド７を表示するグリッド表示処理について説明する。図９は、グリッド表示処理の流れを示すフローチャートである。
【００５７】
グリッド表示処理が開始すると、図２に示すグリッド表示指示受付手段３１は、グリッド７を表示する旨の指示をクライアント装置２から受け付けたか否かを判別する（ステップＳ１）。その結果、グリッド７を表示する旨の指示を受け付けていないと判断した場合（ステップＳ１：Ｎｏ）、グリッド表示指示受付手段３１は、ステップＳ１へ戻って判別を繰り返す。なお、グリッド７表示する旨の指示は、図に詳細は示さないが、例えばクライアント装置２のメインメニュー画面において検査員等が所定のアイコンをクリックすることにより、クライアント装置２からサーバ装置１に向けて発せられる。
【００５８】
一方、ステップＳ１における判別の結果、グリッド７を表示する旨の指示を受け付けたと判断した場合（ステップＳ１：Ｙｅｓ）、グリッド表示指示受付手段３１は、図２に示すグリッド表示手段４１に対し、クライアント装置２にグリッド７を表示する旨の命令を発する。そうすると、グリッド表示手段４１は、図２に示すグリッド記憶手段６１からグリッド７を読み出す（ステップＳ２）。そして、グリッド表示手段４１は、読み出したグリッド７をクライアント装置２へ送信する（ステップＳ３）。これにより、例えば図３に示すグリッド７がクライアント装置２に表示され、グリッド表示処理が終了する。
【００５９】
（キャプチャ画面表示処理）
次に、実施形態に係る検査画像管理システム１００がクライアント装置２にキャプチャ画面１３を表示するキャプチャ画面表示処理について説明する。図１０は、キャプチャ画面表示処理の流れを示すフローチャートである。
【００６０】
キャプチャ画面表示処理が開始すると、図２に示す豆図作成指示受付手段３２は、豆図２１を作成する旨の指示をクライアント装置２から受け付けたか否かを判別する（ステップＳ４）。なお、豆図２１を作成する旨の指示は、例えばクライアント装置２に表示された図３に示す検査画像管理画面８において、グリッド７中に表示された豆図作成ボタン１１を検査員等がクリックすることにより、クライアント装置２からサーバ装置１に向けて発せられる。
【００６１】
ステップＳ４における判別の結果、豆図２１を作成する旨の指示を受け付けていないと判断した場合（ステップＳ４：Ｎｏ）、豆図作成指示受付手段３２は、ステップＳ４へ戻って判別を繰り返す。一方、ステップＳ４における判別の結果、豆図２１を作成する旨の指示を受けたと判断した場合（ステップＳ４：Ｙｅｓ）、豆図作成指示受付手段３２は、図２に示すキャプチャ画面表示手段４２に対し、クライアント装置２にキャプチャ画面１３を表示する旨の命令を発する。
【００６２】
そうすると、キャプチャ画面表示手段４２は、図２に示すキャプチャ画面フォーム記憶手段６２からキャプチャ画面フォーム１２を読み出す（ステップＳ５）。次に、キャプチャ画面表示手段４２は、図２に示す配筋図記憶手段６３から配筋図１９を読み出す（ステップＳ６）。次に、キャプチャ画面表示手段４２は、図２に示すグリッド記憶手段６１から、検査箇所ＣＰに関する各種情報のうち検査箇所情報表示エリア１５に表示すべき情報を読み出す（ステップＳ７）。次に、キャプチャ画面表示手段４２は、図２に示すキャプチャ枠記憶手段６４からキャプチャ枠２０を読み出す（ステップＳ８）。そして、キャプチャ画面表示手段４２は、キャプチャ画面フォーム１２の所定位置に配筋図１９を配置し、その配筋図１９の上にキャプチャ枠２０を配置し、更に検査箇所ＣＰに関する各種情報を検査箇所情報表示エリア１５に表示することにより、キャプチャ画面１３を作成する（ステップＳ９）。ここで、配筋図１９におけるキャプチャ枠２０の配置位置は、クライアント装置２から豆図２１作成指示があった検査箇所ＣＰに対応する位置である。例えば、検査員等が図３に示す検査画像管理画面８においてグリッド７中の最上部に位置する６階の通り芯Ａ−１の位置に表示された豆図作成ボタン１１をクリックした場合、図５に示す配筋図１９における同じく６階の通り芯Ａ−１の位置に、キャプチャ枠２０が配置される。
【００６３】
また、キャプチャ枠表示手段４は、図２に示すリアルタイム画像表示手段４３に対し、キャプチャ画面フォーム１２の所定位置にリアルタイム画像を表示する旨の命令を発する。そうすると、リアルタイム画像表示手段４３は、図４に示すキャプチャ枠２０によって現在包囲されている配筋図１９の一部領域の画像を取得し、その画像をリアルタイム画像３０としてキャプチャ画面フォーム１２の所定位置に表示する（ステップＳ１０）。キャプチャ画面表示手段４２は、このようにして完成したキャプチャ画面１３を、クライアント装置２に送信する（ステップＳ１１）。これにより、例えば図５に示すキャプチャ画面１３がクライアント装置２に表示され、キャプチャ画面表示処理が終了する。なお、キャプチャ画面表示処理におけるステップＳ５からステップＳ８までの処理は、本実施形態の順序に限定されず任意の順序で実行することが可能である。
【００６４】
（豆図作成記憶処理）
次に、実施形態に係る検査画像管理システム１００が豆図２１を作成して記憶する豆図作成記憶処理について説明する。図１１は、豆図作成記憶処理の流れを示すフローチャートである。
【００６５】
豆図作成記憶処理が開始すると、図２に示す領域確定指示受付手段３３は、配筋図１９上で豆図２１の領域を確定する旨の指示をクライアント装置２から受け付けたか否かを判別する（ステップＳ１２）。なお、豆図２１の領域を確定する旨の指示は、例えばクライアント装置２に表示された図４に示すキャプチャ画面１３において、検査員等がキャプチャ確定ボタン１７を押下することにより、クライアント装置２からサーバ装置１に向けて発せられる。
【００６６】
ステップＳ１２における判別の結果、豆図２１の領域を確定する旨の指示を受け付けていないと判断した場合（ステップＳ１２：Ｎｏ）、領域確定指示受付手段３３は、ステップＳ１２へ戻って判別を繰り返す。なお、豆図２１の領域を確定する旨の指示は、例えば図４に示すキャプチャ画面１３において検査員等がキャプチャ確定ボタン１７を押下することにより、クライアント装置２からサーバ装置１に向けて発せられる。
【００６７】
一方、ステップＳ１２における判別の結果、豆図２１の領域を確定する旨の指示を受け付けたと判断した場合（ステップＳ１２：Ｙｅｓ）、領域確定指示受付手段３３は、図２に示す豆図キャプチャ手段５１に対し、豆図２１をキャプチャする旨の命令を発する。そうすると、豆図キャプチャ手段５１は、図４に示すキャプチャ画面１３において、その時点でキャプチャ枠２０によって包囲されている配筋図１９の領域を切り出すことにより、豆図２１を作成する（ステップＳ１３）。そして、豆図キャプチャ手段５１は、作成した豆図２１を図２に示す豆図記憶手段６６に記憶する（ステップＳ１４）。
【００６８】
また、領域確定指示受付手段３３は、図２に示す豆図対応付け手段５２に対し、作成した豆図２１を検査箇所ＣＰと対応付ける旨の命令を発する。そうすると、豆図対応付け手段５２は、豆図キャプチャ手段５１が作成した豆図２１と、豆図作成指示受付手段３２がステップＳ４で豆図作成指示を受け付けた検査箇所ＣＰとを一対一で対応付けることにより、豆図対応付け情報を作成する（ステップＳ１５）。そして、豆図対応付け手段５２は、図２に示す対応付け情報記憶手段６７にアクセスし、作成した豆図対応付け情報をそこに記憶する（ステップＳ１６）。なお、ステップＳ１３からステップＳ１６までの処理は、本実施形態の順序に限定されず任意の順序で実行することが可能である。
【００６９】
次に、領域確定指示受付手段３３は、キャプチャ画面１３を終了する旨の指示を受け付けたか否かを判別する（ステップＳ１７）。なお、キャプチャ画面１３を終了する旨の指示は、図４に示すキャプチャ画面１３において画面向かって右上隅部に設けられた画面終了アイコンＳＡを検査員等がクリックすることにより、クライアント装置２からサーバ装置１に向けて発せられる。
【００７０】
ステップＳ１７における判別の結果、キャプチャ画面１３を終了する旨の指示を受け付けていないと判断した場合（ステップＳ１７：Ｎｏ）、領域確定指示受付手段３３は、まず図２に示す豆図対応付け手段５２に対し、次回に豆図２１を対応付けるべき検査箇所ＣＰを変更する旨の命令を発する。そうすると、豆図対応付け手段５２は、次回に豆図２１を対応付けるべき検査箇所ＣＰを、今回豆図２１を作成した検査箇所ＣＰに連続する次の検査箇所ＣＰへと変更する（ステップＳ１８）。例えば、図３に示す検査画像管理画面８において６階の通り芯Ａ−１の検査箇所ＣＰについて今回豆図２１を作成した場合、豆図対応付け手段５２は、次回に豆図２１を対応付けるべき検査箇所ＣＰを、６階の通り芯Ａ−２の検査箇所ＣＰに変更する。具体的には、図８に示す対応付けテーブルＴにおいて、次に登録させるべき位置を一段下に移動させる。これにより、次の検査箇所ＣＰについて豆図２１の作成を行いたい場合、検査員等は、キャプチャ画面１３からから検査画像管理画面８に戻って次の検査箇所ＣＰを指定する必要がなく、キャプチャ画面１３にとどまったままで次の検査箇所ＣＰについて豆図２１を作成することができる。
【００７１】
次に、領域確定指示受付手段３３は、図２に示すグリッド表示手段４１に対し、検査画像管理画面８においてカーソルＣの位置を変更する旨の命令を発する（図２では図示を省略）。そうすると、グリッド表示手段４１は、検査員等が豆図２１作成を指示した検査箇所ＣＰに位置しているカーソルＣを、それに連続する次の検査箇所ＣＰへ移動させる（ステップＳ１９）。例えば、図３に示すようにグリッド７の上から三段目に表示された６階の通り芯Ａ−３の検査箇所ＣＰにカーソルＣが位置している場合、豆図対応付け手段５２は、その一段下に表示された６階の通り芯Ａ−４の検査箇所ＣＰへ、カーソルＣを移動させる（図３では移動後のカーソルＣを破線で表示）。これにより、次に作成する豆図２１がどこの検査箇所ＣＰに対応付けられるかを、検査員等は目視により容易に確認することができる。
【００７２】
次に、領域確定指示受付手段３３は、図２に示すキャプチャ画面表示手段４２に対し、キャプチャ画面１３を更新する旨の命令を発する（図２では図示を省略）。そうすると、キャプチャ画面表示手段４２は、新たに作成したキャプチャ画面１３をクライアント装置２へ送信することにより、キャプチャ画面１３を更新する（ステップＳ２０）。より詳細には、キャプチャ画面表示手段４２は、まず配筋図１９上におけるキャプチャ枠２０の位置を変更する。例えば、図４に示すように６階の通り芯Ａ−１の検査箇所ＣＰにキャプチャ枠２０が位置していた場合、それに連続する次の検査箇所ＣＰである６階の通り芯Ａ−２の検査箇所ＣＰへキャプチャ枠２０を移動させる（図４では移動後のキャプチャ枠２０を破線で表示）。加えて、キャプチャ画面表示手段４２は、検査箇所情報表示エリア１５の表示内容を変更する。例えば、検査箇所情報表示エリア１５に６階の通り芯Ａ−１の検査箇所ＣＰに関する検査箇所情報が表示されていた場合、それに連続する検査箇所ＣＰである６階の通り芯Ａ−２の検査箇所ＣＰに関する検査箇所情報を表示するように変更する。このように、ある検査箇所ＣＰについて豆図２１の作成と記憶が完了するとキャプチャ枠２０が自動的に次の検査箇所ＣＰへ移動するので、検査員等がキャプチャ画面１３においてキャプチャ枠２０を移動させる操作を行う必要がなく、検査員等の作業負担が軽減されるという利点がある。また、検査箇所情報も自動的に次の検査箇所ＣＰの検査箇所情報に変更されるので、次に作成する豆図２１がどこの検査箇所ＣＰに対応付けられるかを、検査員等は目視により容易に確認することができる。なお、このようにキャプチャ枠２０が自動的に移動する機能は、任意の機能である。
【００７３】
その後、領域確定指示受付手段３３は、ステップＳ１２へ戻り、豆図２１の領域を確定する旨の次の指示を受け付けるまで、判別を繰り返す。
【００７４】
一方、ステップＳ１６における判別の結果、キャプチャ画面１３を終了する旨の指示を受け付けたと判断した場合（ステップＳ１７：Ｙｅｓ）、領域確定指示受付手段３３は、キャプチャ画面１３を閉じる（ステップＳ２１）。これにより、豆図作成記憶処理が終了する。
【００７５】
なお、豆図作成記憶処理におけるステップＳ１８からステップＳ２０までの処理は、本実施形態の順序に限定されず任意の順序で実行することが可能である。また、ステップＳ１８からステップＳ２０までの処理を実行せず、検査画像管理画面８やキャプチャ画面１３において、検査員等がカーソルＣやキャプチャ枠２０を移動させる操作を行ってもよい。
【００７６】
（撮影時豆図表示処理）
次に、実施形態に係る検査画像管理システム１００が検査箇所ＣＰの撮影時にクライアント装置２に豆図２１を表示する撮影時豆図表示処理について説明する。図１２は、撮影時豆図表示処理の流れを示すフローチャートである。
【００７７】
撮影時豆図表示処理が開始すると、図２に示す撮影指示受付手段３４は、検査箇所ＣＰの撮影を開始する旨の指示をクライアント装置２から受け付けたか否かを判別する（ステップＳ２２）。なお、検査箇所ＣＰの撮影を開始する旨の指示は、検査員等によってクライアント装置２が撮影モードに切り替えられることにより、クライアント装置２からサーバ装置１に向けて発せられる。
【００７８】
ステップＳ２２における判別の結果、撮影を開始する旨の指示を受け付けていないと判断した場合（ステップＳ２２：Ｎｏ）、撮影指示受付手段３４は、ステップＳ２２へ戻って判別を繰り返す。一方、撮影を開始する旨の指示を受け付けたと判断した場合（ステップＳ２２：Ｎｏ）、撮影指示受付手段３４は、図２に示す撮影時画面表示手段４４に対し、クライアント装置２に撮影時画面２４を表示する旨の命令を発する。そうすると、撮影時画面表示手段４４は、撮影時画面フォーム記憶手段６５にアクセスし、そこに記憶された撮影時画面フォーム２３を読み出す（ステップＳ２３）。
【００７９】
次に、撮影時画面表示手段４４は、読み出した撮影時画面フォーム２３の工事黒板表示エリア２８に工事黒板Ｂを表示することにより、撮影時画面２４を作成する（ステップＳ２４）。この工事黒板Ｂとしては、予め定められた既定の工事黒板Ｂや、検査者が事前に選択した工事黒板Ｂ等が用いられる。そして、撮影時画面表示手段４４は、作成した工事黒板Ｂをクライアント装置２へ送信する（ステップＳ２５）。これにより、図６に示すように、工事黒板Ｂを含んだ撮影時画面２４がクライアント装置２に表示される。
【００８０】
次に、撮影時画面表示手段４４は、工事黒板Ｂに対して検査箇所ＣＰに関する検査箇所情報が入力されたか否かを判別する（ステップＳ２６）。その結果、工事黒板Ｂに対して検査箇所ＣＰに関する検査箇所情報が入力されていないと判断した場合（ステップＳ２６：Ｎｏ）、撮影時画面表示手段４４は、ステップＳ２６へ戻って判別を繰り返す。
【００８１】
一方、工事黒板Ｂに対して検査箇所ＣＰに関する情報が入力されたと判断した場合（ステップＳ２６：Ｙｅｓ）、撮影時画面表示手段４４は、図２に示す対応付け情報記憶手段６７にアクセスし、そこに記憶された対応付け情報を読み出す（ステップＳ２７）。そして、撮影時画面表示手段４４は、図２に示す豆図記憶手段６６にアクセスし、先に読み出した対応付け情報すなわち検査箇所ＣＰと豆図２１との対応関係に基づいて、工事黒板Ｂで入力された検査箇所ＣＰに対応する豆図２１を読み出す（ステップＳ２８）。そして、撮影時画面表示手段４４は、読み出した豆図２１をクライアント装置２へ送信する（ステップＳ２９）。これにより、クライアント装置２では工事黒板Ｂの豆図表示欄Ｂ１に豆図２１が表示され、撮影時豆図表示処理が終了する。
【００８２】
なお、図に詳細は示さないが、撮影時豆図表示処理が終了した後、クライアント装置２において検査員等が撮影時画面２４でシャッターボタン２６を押下することにより、検査箇所ＣＰの検査画像Ｐが取得される。そして、取得された検査画像Ｐは、クライアント装置２からサーバ装置１に向けて送信される。サーバ装置１では、検査画像Ｐは、豆図２１と同様に検査箇所ＣＰと対応付けた状態で記憶される。これにより、例えば図３に示すグリッド７の検査画像表示欄７２に、対応する検査箇所ＣＰの検査画像Ｐが表示される。
【００８３】
なお、本実施形態では、図２に示すように、受付手段３と表示手段４と豆図処理手段５と記憶手段６の全てがサーバ装置１に設けられている場合について説明した。しかし、これら受付手段３、表示手段４、豆図処理手段５、記憶手段６のうち一部が、クライアント装置２に設けられてもよい。しかし、本実施形態のように高い処理性能を有するサーバ装置１に多くの手段を設けた方が、より高速での処理が可能になるという利点がある。また、豆図２１や検査画像Ｐ等の情報を複数のクライアント装置２の間で共有するためには、少なくとも記憶手段６をサーバ装置１に設けることが好適である。
【産業上の利用可能性】
【００８４】
本発明は、例えば建物の建設工事や修繕工事における検査時に撮影した検査箇所の画像を管理するための検査画像管理システムに適用することができる。
【符号の説明】
【００８５】
１  サーバ装置
２  クライアント装置
４  検査箇所情報表示手段
７  グリッド（一覧表）
１３  キャプチャ画面
１９  配筋図（元図）
２０  キャプチャ枠
２１  豆図
２４  撮影時画面
３０  リアルタイム画像
３２  豆図作成指示受付手段
３３  領域確定指示受付手段
４２  キャプチャ画面表示手段
４４  撮影時画面表示手段
５１  豆図キャプチャ手段
５２  豆図対応付け手段
６６  豆図記憶手段
１００  検査画像管理システム
ＣＰ  検査箇所
【図１】
2019174882.tif 000003
【図２】
2019174882.tif 000004
【図３】
2019174882.tif 000005
【図４】
2019174882.tif 000006
【図５】
2019174882.tif 000007
【図６】
2019174882.tif 000008
【図７】
2019174882.tif 000009
【図８】
2019174882.tif 000010
【図９】
2019174882.tif 000011
【図１０】
2019174882.tif 000012
【図１１】
2019174882.tif 000013
【図１２】
2019174882.tif 000014